(57)【要約】【課題】盤や駒を常設して手軽に詰将棋を楽しむことができる将棋セットを提供することを課題とする。【解決手段】詰将棋一題に対応する複数の将棋駒２と、複数のマス３１が配列されたカレンダー３と、を備え、前記将棋駒２は、磁石を有する、将棋セット１を用いる。この磁石を有する将棋駒２によりカレンダー３を冷蔵庫４等の磁性体に常設し、カレンダー３に設けられている複数のマスを将棋盤として活用して手軽に詰将棋を楽しむものである。【選択図】図１
0003221274.tif 000002
【実用新案登録請求の範囲】
【請求項１】
詰将棋一題に対応する複数の将棋駒と、
複数のマスが配列されたカレンダーと、を備え、
前記将棋駒は、磁石を有する、将棋セット。
【請求項２】
前記カレンダーは、５×７の前記マスを有している、請求項１に記載の将棋セット。
【請求項３】
前記将棋駒は、玉将と、金将と、銀将と、桂馬と、香車と、飛車と、角行と、歩兵と、である、請求項１または請求項２に記載の将棋セット。
【請求項４】
前記将棋駒は、玉将と、金将と、桂馬と、歩兵と、である、請求項１または請求項２に記載の将棋セット。
【請求項５】
前記将棋駒は、玉将と、銀将と、香車と、歩兵と、である、請求項１または請求項２に記載の将棋セット。
【請求項６】
前記将棋駒は、玉将と、金将と、飛車と、歩兵と、である、請求項１または請求項２に記載の将棋セット。
【請求項７】
前記将棋駒は、玉将と、銀将と、角行と、歩兵と、である、請求項１または請求項２に記載の将棋セット。
【考案の詳細な説明】
【技術分野】
【０００１】
本考案は、手軽に詰将棋ができる将棋セットに関するものである。
【背景技術】
【０００２】
詰将棋は、詰将棋問題集や新聞、雑誌等に掲載された問題を解いて楽しむゲームである。問題集等は場所を取らずに楽しめる一方で、実際に駒を動かすことができないため特に初心者は難しさを感じる。そこで実際に駒を動かして詰将棋の問題を解くための将棋盤と詰将棋に使用する駒をセットにした詰将棋装置が使用されている（例えば、特許文献１や特許文献２）。
【先行技術文献】
【特許文献】
【０００３】
【特許文献１】実全昭５１−１６１２７７号公報
【特許文献２】実全昭４９−０７３５８５号公報
【考案の概要】
【考案が解決しようとする課題】
【０００４】
しかしながら、特許文献１や特許文献２に記載の詰将棋装置は専用の盤と駒を準備する必要があり、通常その盤は使う時に出して終わったら片付けることとなる。そのため、思いついた方法をすぐに試すことや中断した状態で保持することが難しいという問題があった。
【０００５】
本考案は、以上のような点を考慮してなされたものであり、盤や駒を常設して手軽に詰将棋を楽しむことができる将棋セットを提供することを課題とする。
【課題を解決するための手段】
【０００６】
上記課題を解決するため、本考案では以下の手段を採用した。
本考案の一態様の将棋セットは、詰将棋一題に対応する複数の将棋駒と、複数のマスが配列されたカレンダーと、を備え、前記将棋駒は、磁石を有する。
【０００７】
本考案に係る将棋セットによれば、将棋駒に設けられた磁石により、カレンダーを冷蔵庫等に保持すると共に、カレンダーのマスを将棋盤の代わりに使用することにより、盤と駒を常設して手軽に詰将棋を楽しむことができる。
【０００８】
本考案の好ましい形態では、前記カレンダーは、５×７の前記マスを有している。
このように、カレンダーが５×７のマスを有していることにより、常設した状態で多くの詰将棋問題を楽しむことができる。
【０００９】
本考案の好ましい形態では、前記将棋駒は、玉将と、金将と、銀将と、桂馬と、香車と、飛車と、角行と、歩兵と、である。
また、本考案の好ましい形態では、前記将棋駒は、玉将と、金将と、桂馬と、歩兵と、である。
また、本考案の好ましい形態では、前記将棋駒は、玉将と、銀将と、香車と、歩兵と、である。
また、本考案の好ましい形態では、前記将棋駒は、玉将と、金将と、飛車と、歩兵と、である。
また、本考案の好ましい形態では、前記将棋駒は、玉将と、銀将と、角行と、歩兵と、である。
将棋駒にこのような種類の駒を採用することにより、様々な詰将棋問題を楽しむことができる。また、詰将棋を行わない時もカレンダーを固定することができる。
【考案の効果】
【００１０】
開示した技術によれば、盤や駒を常設して手軽に詰将棋を楽しむことができる将棋セットを提供することができる。
【００１１】
他の課題、特徴及び利点は、図面及び実用新案登録請求の範囲とともに取り上げられる際に、以下に記載される考案を実施するための形態を読むことにより明らかになるであろう。
【図面の簡単な説明】
【００１２】
【図１】本考案の一実施形態に係る将棋セットの使用状態を示す説明図である。
【考案を実施するための形態】
【００１３】
以下、本考案を図面に示した好ましい一実施形態の将棋セットについて、図１を参照して詳細に説明する。本考案の技術的範囲は、添付図面に示した実施形態に限定されるものではなく、実用新案登録請求の範囲に記載された範囲内において、適宜変更が可能である。
【００１４】
本考案の一実施形態に係る将棋セット１は、詰将棋に使用する複数の将棋駒２とカレンダー３とを備える。この複数の将棋駒２は、詰将棋一題に対応しており、例えば図１においては、玉将と歩兵と金将を有する相手に歩兵（成金）と金将（持ち駒）と桂馬（持ち駒）により王手を作る問題を例示しているが、これに限られることなく、この詰将棋一題は任意の題を選択することができる。
【００１５】
上述のように図１に示した将棋駒２は一例であり、図１に示す例以外にも、前記将棋駒２は、玉将と金将と銀将と桂馬と香車と飛車と角行と歩兵とが一駒ずつである場合や、玉将と金将と桂馬と歩兵とが一駒ずつである場合や、玉将と銀将と香車と歩兵とが一駒ずつである場合や、玉将と金将と飛車と歩兵とが一駒ずつである場合や、玉将と銀将と角行と歩兵とが一駒ずつである場合等を例示することができる。
【００１６】
詰将棋とは将棋のルールに基づいた問題（一種のパズル）である。詰将棋では、将棋盤に置かれた駒と持ち駒が提示され（詰将棋一題）、その状態から王手のみを繰り返し、相手がどう対応しようとしても相手の玉将を詰めるような手順を見つければ正解となる。すなわち、将棋駒２は少なくとも玉将（王将を含む）を一つ含む。
【００１７】
詰将棋問題は、通常１手、３手、５手、７手等の奇数手により玉将を詰ませることを目的とする。ここで例えば３手とは、まず自分が動かし、次に相手が動かす、そしてさらに自分が動かす、のように両者合計が３手という意味である。
なお、普通の将棋で禁止されている手（二歩、打ち歩詰め、行き所のない駒、千日手）は詰将棋においても禁止である。
【００１８】
本実施形態における将棋駒２は、将棋に使用する駒と同様の構成を採用しており、特定の将棋駒２は裏面（成る場合）も使用される。前記磁石は、冷蔵庫４等の当接可能な面に対して、カレンダー３を挟んで保持可能な磁力を有しており、将棋駒２の内部や表面に設けられている。
【００１９】
カレンダー３は、複数のマス３１が配列されたものであり、これらのマス３１を将棋盤のマス３１と対応させる。すなわち、カレンダー３における１日分のマス３１に将棋駒２を一つ配置する。
したがって、マス３１は少なくとも一つの将棋駒２よりも大きく形成されている必要がある。
【００２０】
また、カレンダー３は各日付同士が区切られていれば良いため、マス３１に限らず横線のみで区切られたもの等も使用することができる。すなわち、将棋盤のマス３１のように、複数の将棋駒２の位置を相対的に把握することができるように区切られていれば良い。なお、カレンダー３に表示されている日付や曜日等の大きさに特に指定はなく、予定を書き込む場所の有無にも特に制限は設けていない。
【００２１】
考案者は、詰将棋の問題が普通の将棋とは異なり駒数が少なく、動きの範囲も限られていることと、一般的なカレンダー３が横７マス、縦５マスから形成されていることに着目し、人々が良く目にするカレンダー３を将棋盤として使用することを見出した。特に本考案においては、磁石が設けられた将棋駒２を使用し、カレンダー３を冷蔵庫４等の磁性体に配置することを想定している。なお、カレンダー３を設ける場所は冷蔵庫４に限らず、磁性材で作られている棚や収納等磁石で付けられる場所であれば自由に選択することができる。
【００２２】
また、詰将棋を行わずにカレンダー３をカレンダー３としての機能で使用する場合には、磁石付きの将棋駒２によりカレンダー３を保持する。将棋駒２は四駒以上有していることにより、多くの詰将棋問題に対応可能であり、かつカレンダー３を安定して保持することができる。
さらに、カレンダー３には縁起物の飾り駒として知られる、左馬を設けてもよい。この左馬の駒は、将棋駒２と同様に磁石を有していることが望ましい。
【００２３】
本考案における一番の特徴は、磁石が設けられた将棋駒２によりカレンダー３を人々が良く目にする冷蔵庫４等の磁性体に常設し、かつカレンダー３を保持可能な将棋駒２により詰将棋を楽しむことができることである。すなわち、カレンダー３をカレンダー３としての機能（例えば予定を管理する等）として活用しながら、詰将棋問題集等に記載された詰将棋問題を同時に解くことができる。
【００２４】
以上のように、本考案によれば、磁石を有し詰将棋一題に対応する複数の将棋駒２とカレンダー３とを組み合わせることにより、将棋駒２とカレンダー３（将棋盤）を冷蔵庫４等に常設して、手軽に詰将棋を楽しむことができる。
【００２５】
また、将棋駒２に設けられる磁石によりカレンダー３を保持することができるため、他の物を使用せずにカレンダー３を保持しながら詰将棋を行うことができる。
【００２６】
また、カレンダー３は同時に予定管理等の通常のカレンダー３としても使うことができ、場所を取らずに常設することができることから、問題を解き終わらなかった場合にも将棋駒２をそのまま保持しておくことができる。
また、カレンダー３の常設が可能であることにより、解答方法を閃いた時にすぐに将棋駒２を動かしながら確認することができる。
【００２７】
また、カレンダー３は５×７マスを有するものが広く使用されているため、近年新たな将棋の形態として楽しまれている５五将棋（５×５マスの将棋であり、王将（玉将）、金将、銀将、飛車、角行、歩兵を各二駒ずつ用いる。）等を行うこともできる。
【符号の説明】
【００２８】
１  将棋セット
２  将棋駒
３  カレンダー
３１  マス
４  冷蔵庫
【図１】
0003221274.tif 000003